(57)【特許請求の範囲】
【請求項１】
階呼び出し又は移動コマンドを発生する特定数の階ボタン（ＣＣＢ）を有しており、各階ボタン（ＣＣＢ）または階ボタンの組み合わせが各階毎に提供される、エレベータ装置用のパネルであって、
存在する全ての階ボタン（ＣＣＢ）の一部によっても全ての階を選択できるように、信号に基づいて前記パネル（１）を変換することができ、
前記信号に基づく変換後は、階ボタンの一部が１桁キーボード（Ｚ）を形成し、階の選択が、行先階の各桁の数字に対応する１桁キーボード（Ｚ）の階ボタンを順番に連続して作動させることにより行われることを特徴とする、前記パネル。
【請求項２】
前記パネル（１）が、信号を発生する変換ボタン（Ｈ）を有していることを特徴とする、請求項１に記載のパネル。
【請求項３】
前記パネル（１）が、信号を発生するセンサ（Ｓ）を有していることを特徴とする、請求項１に記載のパネル。
【請求項４】
パネル（１）が階呼び出し又は移動コマンドを発生する特定数の階ボタン（ＣＣＢ）を有しており、各階ボタン（ＣＣＢ）または階ボタンの組み合わせが各階毎に提供される、エレベータ装置用のパネルを操作するための方法であって、
存在する全ての階ボタン（ＣＣＢ）の一部によっても全ての階を選択できるように、信号に基づいて前記パネル（１）を変換することができ、
前記信号に基づく変換後は、階ボタンの一部が１桁キーボード（Ｚ）を形成し、階の選択が、行先階の各桁の数字に対応する１桁キーボード（Ｚ）の階ボタンを順番に連続して作動させることにより行われることを特徴とする、前記方法。
【請求項５】
変換ボタン（Ｈ）の作動によって信号が発生されることを特徴とする、請求項４に記載の方法。
【請求項６】
センサ（Ｓ）の応答によって信号が発生されることを特徴とする、請求項４に記載の方法。
【請求項７】
一部の階ボタンによってコード（ＲＣ、ＳＦＣ）が入力されることを特徴とする、請求項４から６のいずれか一項に記載の方法。
【請求項８】
入力ボタンとしても使用されるドア閉塞ボタン（ＤＴ−Ｓ）が設けられていることを特徴とする、請求項４から７のいずれか一項に記載の方法。
【発明の詳細な説明】
【０００１】
【発明の属する技術分野】
本発明は、請求項１および請求項５の前提部分に係るパネルおよびパネル制御方法に関する。
【０００２】
【従来の技術】
階呼び出しの入力のための様々なボタンを有するエレベータパネルは、明細書ＵＳ−５９７５２４７によって知られている。ボタンは、パネルの領域全体にわたって分布している。上側の階のためのボタンは、下側の階のためのボタンよりも高い位置に配置されている。６０階に行くことを望む乗客は、高い位置に配置されたボタンを作動させなければならない。このプロセスは、車椅子に座っている身体障害者にとって困難である。なぜなら、これらのボタンは、あまりに高い位置に配置されているからである。このようなパネルは、身体障害者に適していない。
【０００３】
【特許文献１】
米国特許第５９７５２４７号明細書
【０００４】
【発明が解決しようとする課題】
本発明の目的は、前述した欠点を有さず、且つ全ての乗客が問題なくパネルを操作することができる、前提部分に記載されたタイプのパネルおよび方法を提供することである。
【０００５】
【課題を解決するための手段】
この目的は、請求項１および請求項５の特徴によって達成される。
【０００６】
１つのパネルで、全てのエレベータの乗客が、考えられる全てのコマンドを楽に制限なく設定することができるという利点がある。パネルを、従来の方法によるだけでなく、一部の階ボタンを用いて操作することができる。身体障害者のための特殊なキーボードは必要ではない。ケージの内側の構造を変える必要がない。エレベータ装置のコストが低減される。
【０００７】
請求項１に記載されたパネルおよび請求項５に記載された方法の有利な発展および改良は、従属請求項に記載されている手段によって可能である。
【０００８】
好ましい実施形態においては、一部の階ボタンが１桁キーボード（ｄｅｃａｄｄｅ  ｋｅｙｂｏａｒｄ）を形成する。これにより、数字「０」から「９」を用いて、幅広いコマンド選択が可能となる。
【０００９】
別の実施形態において、パネルは、信号を発生する変換ボタンを有している。これは、直接的な接触により、パネルの変換を手動で行なえるという利点がある。
【００１０】
別の実施形態において、パネルは、信号を発生するセンサを有している。これによれば、直接的な接触によらず、パネルを自動的に変換することができる。
【００１１】
また、本発明は、以下の利点も有している。
【００１２】
既に設置されたパネルをわずかに再構成することで、古いパネルであっても、本発明に係る機能を取り入れることができる。このことは、本発明に係る教示内容を、既に設置された古いパネルだけでなく、新たに設置されるパネルにおいても使用できることを意味する。
【００１３】
標準的なパネルの全てのコマンドだけでなく、他のコマンドや機能をも、１桁キーボードによって設定することができる。
【００１４】
説明する全ての特徴は、本発明の範囲を逸脱することなく、個々に示された組み合わせ、他の組み合わせ、または、それ自体で使用可能である。
【００１５】
本発明の様々な実施形態は、概略図に示されており、以下の記載においてより詳細に説明されている。
【００１６】
【発明の実施の形態】
図１は、エレベータケージ２の内側を示している。エレベータケージ２は、エレベータドアＴの近傍に、エレベータコマンドを入力するためのパネル１を有している。このパネルは、存在する全てのボタンに基づいて操作可能な全く普通の標準的なパネルである。パネル１を、建物の階に配置することができる。
【００１７】
パネル１の一実施形態が、図２により詳細に示されている。パネル１は垂直方向に延びている。すなわち、パネル１は、その幅Ｂが高さＤよりも小さく、パネル１の下側部分に複数のボタン３を有するとともに、上側部分にディスプレイ装置４を有している。ボタン３は、ドア開放ボタンＤＴ−Ｏと、ドア閉塞ボタンＤＴ−Ｓと、階ボタンすなわちケージ呼び出しボタンＣＣＢ（Ｃａｇｅ  ＣａｌｌＢｕｔｔｏｎ）とを備えている。この場合、階ボタンＣＣＢは、各階毎に提供されている。この例では、２７個の階ボタンＣＣＢが示されており、階ボタンの作動によって、０階から２６階（日本における１階から２７階に相当）へ行くことができる。無論、パネルは、多かれ少なかれ、階ボタンＣＣＢを有することができる。階ボタンＣＣＢは、下側から上側に向かって連続的に番号が付けられている。このことは、高い階の階ボタンほど、低い階の階ボタンよりもパネル１の上側に配置されていることを意味している。この例では、階ボタンＣＣＢは、３つの列（縦列）に分けられている。また、パネル１は、ボタン３よりも下側に配置された変換ボタンＨを備えている。変換ボタンＨの作動により、存在するパネル１の全ての階ボタンＣＣＢの一部だけで実行可能な、標準パネル１によって通常設定可能な考えられる全てのコマンドを行なうことができる。一実施形態において、パネル１は、変換ボタンＨを作動／押圧することにより、１桁キーボードＺに変換される。このことは、パネル１の階ボタンＣＣＢ「０」から「９」が、１桁キーボードＺとして使用され、これによって、例えば、全ての階を選択することができ、あるいは、全てのケージ呼び出しコマンドまたはケージ移動コマンドを作動させることができることを意味する。また、このことは、１桁キーボードＺによって高い階を選択することができることを意味する。
【００１８】
このことは、車椅子に座った身体障害者であっても、問題なく、高い階を選択することができるという利点を有する。また、これは、車椅子に座った身体障害者であっても簡単に手が届く高さに、１桁キーボードＺがあるが故に可能となる。したがって、全ての人が制限なく全ての階を選択することができる。身体障害者用の特殊なキーボードまたは別個の装置は必要ではない。
【００１９】
図１の詳細Ａが、図３により拡大して示されている。階ボタンＣＣＢ「０」から「９」は、１桁キーボードＺを形成している。パネル１の変換ボタンＨの作動時、１桁キーボードＺが起動される。階ボタン「０」から「９」が常時照明し続けあるいは点灯し続けることにより、１桁キーボードＺの起動を認識できる。また、盲人であっても階ボタンを作動できるように、階ボタン「０」から「９」には、点字が設けられていることが好ましい。
【００２０】
変換ボタンＨの作動後は、例えば、階ボタン「１」および「８」を連続的に作動させるによって、「１８」階を選択することができる。同時に、この選択は、対応する階ボタンＣＣＢ、この現在の例では階ボタン「１８」が自動的に照明することにより認識できることが好ましい。明暗によって、任意の１つのボタン３の作動を確認できる。
【００２１】
図４は、パネル１の別の実施形態を示しており、基本的に図１と同じパネル１を示している。ここでは、変換ボタンＨによって変換機能が作動されず、信号を検出して、その一部に関して更なる信号をパネル１の制御装置に送信するセンサＳによって、変換機能が作動される。このことは、パネル１に直接に接触しなくても、例えばパネルから離れた箇所で、１桁キーボードＺを起動できることを意味する。センサＳにより、例えば、特定の身体障害者を識別することができ、１桁キーボードＺへの自動変換が行なわれる。このような識別は、例えば身体障害者が所持する送信機によって行なうことができる。これは、例えば応答機の原理に従って起こり得る。ユーザは、例えば、センサＳによって信号として検出される識別コードを有するチップカードを所持している。パネル上の任意の場所に、センサＳを配置することができる。ケージ１内または廊下にいる全ての乗客を、センサによって検出できる場所に、センサＳを配置することが重要である。好ましい変形例では、パネル１の下側部分にセンサＳが配置される。
【００２２】
１桁キーボードＺは、以下の状況の一方が生じるまで、起動し続ける。
【００２３】
ドア閉塞スイッチＤＴ−Ｓが作動される。
【００２４】
所定の時間を超えて、例えば５秒を超えて、１桁キーボードＺが作動しないままである。
【００２５】
１桁キーボードＺがもはや起動されない場合には、その後、ボタン「０」から「９」は点灯せず、あるいは点滅しない。その後、再び、通常の方法でパネル１を操作できる。
【００２６】
図５は、本発明に係るパネル１の別の変形例を示している。このパネルは、地下の階を有する建物に使用することができる。パネル１は、上階用の階ボタンＣＣＢの下側に配置された３個のマイナスボタン５を有している。つまり、マイナスボタン５は、座ったままの身体障害者であっても容易に手が届く高さに取付けられている。３個のマイナスボタン５は、ドア閉塞ボタンＤＴ−Ｓ、ドア開放ボタンＤＴ−Ｏ、変換ボタンＨの上側に位置していることが好ましい。このように、マイナスボタン５のうちの１つを作動することにより、また、所定の場合にはボタン「０」から「９」のうちの１つを作動することにより、変換ボタンＨを作動させなくても、地下の階を選択することができる。階ボタン「０」から「９」すなわち１桁キーボードＺを使用して、高い階、例えば「１８」階を選択するためのみに、変換ボタンＨが作動される。
【００２７】
また、他の機能のために、１桁キーボードＺを使用することもできる。特定の建物では、認可された人だけしか特定の階にアクセスすることができない。これらの特定の階へのアクセスを与えるために、認可された人は、まず、エレベータによって識別されなければならない。これは、例えばコードＲＣの入力によって行なうことができる。この目的のため、パネル１の階ボタンＣＣＢの一部、例えば前述した１桁キーボードＺを使用することができる。認可された人は、最初に、変換ボタンＨによってパネル１を１桁キーボードＺに変換し、その後、１桁キーボードＺによってコードＲＣを入力し、最後に、１桁キーボードＺによりあるいは対応する階ボタンＣＣＢを直接に作動させることにより、階を選択しなければならない。その後、入力ボタン（「ｅｎｔｅｒ」ボタン）としても機能し得るドア閉塞ボタンＤＴ−Ｓを作動させることができる。適正なコードＲＣの入力は音響信号によって確認される。不適正なコードＲＣは、適切なソフトウエアによって確認され、１桁キーボードＺを従来のパネル１に自動的に変換して戻す。コードＲＣの入力がなされないと、対応する階ボタンＣＣＢを直接に作動させても、特定の階に行くことができない。
【００２８】
同様の方法で、別のコードＳＦＣを入力することにより、エレベータに特定の機能を与えることができる。例えば、パーキングを伴うあるいは伴わないエレベータの予約、エレベータケージの光の点灯および制御または換気、あるいは特定の移動等のため、１桁キーボードＺを用いて、いずれの場合にも、更なるコードＳＦＣを入力することができる。エレベータの制御装置が特定の機能を登録したという確認は、一時的な表示、例えばパネル１のディスプレイ装置４上の文字によって成される。
【００２９】
このように、本発明に係る変換ボタンＨを有するパネル１の存在により、エレベータケージ内や廊下に特殊なボタンやキーを設ける必要がなくなり、全てをパネル１によって行なうことができる。
【００３０】
図６、７、および８は、パネルの操作プロセスを表わすフローチャート／アルゴリズムを示している。
【００３１】
図６は、パネル１の機能の主フローチャートを示している。変換ボタンＨが作動されると（ステップＰ２）、１桁キーボードＺが起動される（ステップＰ４）。変換ボタンＨが作動しない場合、パネル１は、標準的なパネルと同様な従来の方法で使用される（ステップＰ３）。
【００３２】
図７および図８は、１桁キーボードＺが起動された際の起こり得るシーケンスを示している。このシーケンスは、以下の表現で要約することができる。
【００３３】
変換ボタンＨの作動時、既に存在している全てのケージ呼び出しＥＣＣ（Ｅｘｉｓｔｉｎｇ  Ｃａｇｅ  Ｃａｌｌ）が、エレベータ制御装置で検出され、対応する階ボタンのランプが消灯する。変換ボタンＨの確認ランプが点灯する（ステップＳ３）。タイマーが起動され、１桁キーボードＺを形成するパネル１の階ボタン「０」から「９」が、好ましくは２Ｈｚの周波数で点灯し始める（Ｓ５）。１桁キーボードＺが例えば５秒間作動しないままである場合（Ｓ９）、あるいは、ドア閉塞ボタンＤＴ−Ｓが押された場合（Ｓ８）には、変換ボタンＨのランプが消灯され（Ｓ８３）、１桁キーボードＺの点滅が停止する（Ｓ８４）。１桁キーボードＺの作動が終了され、パネル１を標準的なパネルとして再び使用することができる（Ｓ８６）。既に登録されたケージ呼び出しＥＣＣに対応する階ボタンのランプが、再び点灯する（Ｓ８５）。切り換えボタンＨの作動後に１桁キーボードＺが作動する場合には、呼び出しのための中央メモリＭＣＣ内に記憶された、有効なケージ呼び出しを入力することができる。この中央メモリＭＣＣは、その後、既に登録されたケージ呼び出しＥＣＣでピックアップされる。このように、１桁キーボードによってコードを入力することもできる。１桁キーボードＺのボタンが作動されると直ぐに、タイマーが新たに始動し、１桁キーボードの別のボタンの作動のための時間がさらにある。したがって、それぞれの場合に応じて、ケージ呼び出し及び様々なコードを入力することができる。ドア閉塞ボタンＤＴ−Ｓが作動されると直ぐに、あるいは、時間送信機の設定時間が経過すると直ぐに、または、システムによって受け入れることができないコマンドが入力されると直ぐに、１桁キーボードの作動が終了され、パネル１を標準的なパネルとして再び作動させることができる。
【００３４】
有効なケージ呼び出しは、実際にエレベータによって果たされる呼び出しである。このことは、エレベータが例えば０階から３１階を受け持つ場合に、有効なケージ呼び出しが０から３１まで及ぶことを意味している。したがって、ケージ呼び出し３２、３３は有効ではない。
【図面の簡単な説明】
【図１】本発明に係るパネルを有するエレベータケージの内側を示している。
【図２】本発明の第１の実施形態に係るパネルを示している。
【図３】１桁キーボードとして操作可能な図１のパネルの一部を示している。
【図４】本発明の第２の実施形態に係るパネルを示している。
【図５】本発明の第３の実施形態に係るパネルを示している。
【図６】パネルの操作プロセスのフローチャートを示している。
【図７】パネルの操作プロセスのフローチャートを示している。
【図８】パネルの操作プロセスのフローチャートを示している。
【符号の説明】
１  パネル
２  エレベータケージ
３  ボタン
４  ディスプレイ装置
Ａ  詳細
Ｂ  幅
Ｄ  高さ
Ｓ  センサ
Ｈ  変換ボタン
Ｔ  エレベータドア
Ｚ  １桁キーボード
ＤＴ−Ｓ  ドア閉塞ボタン
ＣＣＢ  階ボタン
ＤＴ−Ｏ  ドア開放ボタン
Ｐ１  変換ボタンＨの状態が読み取られる。
Ｐ２  変換ボタンＨが作動したか？ＹＥＳの場合には、Ｐ４に進み、ＹＥＳでない場合には、ステップＰ３に進む。
Ｐ３  パネルが標準的なパネルとして使用される。
Ｐ４  １桁キーボードが起動される。
Ｓ１  既に存在する全てのケージ呼び出しＥＣＣが検出される。
Ｓ２  Ｓ１のケージ呼び出しＥＣＣの全ての確認ランプが消灯する。
Ｓ３  変換ボタンＨの確認ランプが点灯する。
Ｓ４  変換ボタンＨまたは１桁キーボードＺのためのタイマーが始動する。すなわち、１桁キーボードのための変換ボタンの作動時、所定の時間、例えば５秒が始まる。
Ｓ５  １桁キーボードＺの階ボタン「０」から「９」が、好ましくは２Ｈｚの周波数で点滅する。
Ｓ６  階ボタン「０」から「９」の状態が読み取られる。
Ｓ７  階ボタン「０」から「９」のうちの１つが作動したか？ＹＥＳの場合には、Ｓ１０に進み、ＹＥＳでない場合には、ステップＳ８に進む。
Ｓ８  ドア閉塞ボタンＤＴ−Ｓが作動したか？ＹＥＳの場合には、Ｓ８３に進み、ＹＥＳでない場合には、ステップＳ９に進む。
Ｓ９  タイマーの所定の時間が経過したか？  ＹＥＳの場合には、Ｓ８３に進み、ＹＥＳでない場合には、ステップＳ６に進む。
Ｓ１０  Ｓ７で作動された階ボタンが、第１のメモリＭ１で検出される。
Ｓ１１  タイマーが再始動する。
Ｓ１２  階ボタン「０」から「９」の状態が読み取られる。
Ｓ１３  階ボタン「０」から「９」のうちの１つが作動したか？ＹＥＳの場合には、Ｓ２１に進み、ＹＥＳでない場合には、ステップＳ１４に進む。
Ｓ１４  ドア閉塞ボタンＤＴ−Ｓが作動したか？ＹＥＳの場合には、Ｓ１６に進み、ＹＥＳでない場合には、ステップＳ１５に進む。
Ｓ１５  タイマーの所定の時間が経過したか？ＹＥＳの場合には、Ｓ１６に進み、ＹＥＳでない場合には、ステップＳ１２に進む。
Ｓ１６  第１のメモリＭ１で検出された階ボタンが、呼び出し入力として用いられる。
Ｓ１７  ステップＳ１６での呼び出し入力が有効か？ＹＥＳの場合には、Ｓ１８に進み、ＹＥＳでない場合には、ステップＳ８３に進む。
Ｓ１８  Ｓ１６の呼び出し入力に対応する階ボタンの確認ランプが点灯する。
Ｓ１９  Ｓ１６の呼び出し入力が中央メモリＭＣＣに記憶される。
Ｓ２０  中央メモリＭＣＣが、ケージ呼び出しＥＣＣで検出される。
Ｓ２１  Ｓ１３で作動された階ボタンが、第２のメモリＭ２で検出される。
Ｓ２２  メモリＭ１、Ｍ２で検出された作動階ボタンの組み合わせが、呼び出し入力として用いられる。
Ｓ２３  ステップＳ２２での呼び出し入力が有効か？ＹＥＳの場合には、Ｓ２４に進み、ＹＥＳでない場合には、ステップＳ２７に進む。
Ｓ２４  Ｓ２２での呼び出し入力に対応する１つまたは複数の階ボタンの確認ランプが点灯する。
Ｓ２５  Ｓ２２の呼び出し入力が、中央メモリＭＣＣに記憶される。
Ｓ２６  中央メモリＭＣＣが、ケージ呼び出しＥＣＣで検出される。
Ｓ２７  タイマーが再始動する。
Ｓ２８  階ボタン「０」から「９」の状態が読み取られる。
Ｓ２９  階ボタン「０」から「９」のうちの１つが作動したか？ＹＥＳの場合には、Ｓ３２に進み、ＹＥＳでない場合には、Ｓ３０に進む。
Ｓ３０  ドア閉塞ボタンＤＴ−Ｓが作動したか？ＹＥＳの場合には、Ｓ８３に進み、ＹＥＳでない場合には、Ｓ３１に進む。
Ｓ３１  タイマーの所定の時間が経過したか？ＹＥＳの場合には、Ｓ８３に進み、ＹＥＳでない場合には、Ｓ２８に進む。
Ｓ３２  Ｓ２９で作動された階ボタンが、第３のメモリＭ３で検出される。
Ｓ３３  Ｓ３２での呼び出し入力に対応する１つまたは複数の階ボタンの確認ランプが消灯する。
Ｓ３４  中央メモリＭＣＣがキャンセルされる。
Ｓ３５  メモリＭ１からＭ３で検出された作動階ボタンの組み合わせが、コードＲＣの一部またはコードＳＦＣの一部に対応しているか？ＹＥＳの場合には、Ｓ３６に進み、ＹＥＳでない場合には、ステップＳ８３に進む。
Ｓ３６  タイマーが再始動する。
Ｓ３７  階ボタン「０」から「９」の状態が読み取られる。
Ｓ３８  階ボタン「０」から「９」のうちの１つが作動したか？ＹＥＳの場合には、Ｓ４１に進み、ＹＥＳでない場合には、Ｓ３９に進む。
Ｓ３９  ドア閉塞ボタンＤＴ−Ｓが作動したか？ＹＥＳの場合には、Ｓ８３に進み、ＹＥＳでない場合には、Ｓ４０に進む。
Ｓ４０  タイマーの所定の時間が経過したか？ＹＥＳの場合には、Ｓ８３に進み、ＹＥＳでない場合には、ステップＳ３７に進む。
Ｓ４１  Ｓ３８で作動された階ボタンが、第４のメモリＭ４で検出される。
Ｓ４２  メモリＭ１からＭ４で検出された作動階ボタンの組み合わせが、制限された制御ＲＣにおけるコードに対応しているか？ＹＥＳの場合には、Ｓ６１に進み、ＹＥＳでない場合には、Ｓ４３に進む。
Ｓ４３  メモリＭ１からＭ４で検出された作動階ボタンの組み合わせが、コードＲＣの一部またはコードＳＦＣの一部に対応しているか？ＹＥＳの場合には、Ｓ４４に進み、ＹＥＳでない場合には、ステップＳ８３に進む。
Ｓ４４  タイマーが再始動する。
Ｓ４５  階ボタン「０」から「９」の状態が読み取られる。
Ｓ４６  階ボタン「０」から「９」のうちの１つが作動したか？ＹＥＳの場合には、Ｓ４９に進み、ＹＥＳでない場合には、Ｓ４７に進む。
Ｓ４７  ドア閉塞ボタンＤＴ−Ｓが作動したか？ＹＥＳの場合には、Ｓ８３に進み、ＹＥＳでない場合には、Ｓ４８に進む。
Ｓ４８  タイマーの所定の時間が経過したか？ＹＥＳの場合には、Ｓ８３に進み、ＹＥＳでない場合には、ステップＳ４５に進む。
Ｓ４９  ステップＳ４６で作動された階ボタンが、第５のメモリＭ５で検出される。
Ｓ５０  メモリＭ１からＭ５で検出された作動階ボタンの組み合わせが、コードＲＣの一部またはコードＳＦＣの一部に対応しているか？ＹＥＳの場合には、Ｓ５１に進み、ＹＥＳでない場合には、Ｓ８３に進む。
Ｓ５１  タイマーが再始動する。
Ｓ５２  階ボタン「０」から「９」の状態が読み取られる。
Ｓ５３  階ボタン「０」から「９」のうちの１つが作動したか？ＹＥＳの場合には、Ｓ５６に進み、ＹＥＳでない場合には、Ｓ５４に進む。
Ｓ５４  ドア閉塞ボタンＤＴ−Ｓが作動したか？ＹＥＳの場合には、Ｓ８３に進み、ＹＥＳでない場合には、Ｓ５５に進む。
Ｓ５５  タイマーの所定の時間が経過したか？ＹＥＳの場合には、Ｓ８３に進み、ＹＥＳでない場合には、ステップＳ５２に進む。
Ｓ５６  ステップＳ５３で作動された階ボタンが、第６のメモリＭ６で検出される。
Ｓ５７  メモリＭ１からＭ６で検出された作動階ボタンの組み合わせが、コードＲＣの一部またはコードＳＦＣの一部に対応しているか？ＹＥＳの場合には、Ｓ５８に進み、ＹＥＳでない場合には、Ｓ８３に進む。
Ｓ５８  コードを機能（例えば特殊な機能）に関連付ける。
Ｓ５９  機能が作動される（例えば特殊な機能）。
Ｓ６０  機能がディスプレイ装置４上に表示される。
Ｓ６１  タイマーが再始動する。
Ｓ６２  階ボタン「０」から「９」の状態が読み取られる。
Ｓ６３  階ボタン「０」から「９」のうちの１つが作動したか？ＹＥＳの場合には、Ｓ７１に進み、ＹＥＳでない場合には、Ｓ６４に進む。
Ｓ６４  ドア閉塞ボタンＤＴ−Ｓが作動したか？ＹＥＳの場合には、Ｓ８３に進み、ＹＥＳでない場合には、Ｓ６５に進む。
Ｓ６５  タイマーの設定時間が経過したか？ＹＥＳの場合には、Ｓ８３に進み、ＹＥＳでない場合には、ステップＳ６２に進む。
Ｓ６６  メモリＭ５で検出された階ボタンが、呼び出し入力として用いられる。
Ｓ６７  ステップＳ６６での呼び出し入力が有効か？ＹＥＳの場合には、Ｓ６８に進み、ＹＥＳでない場合には、ステップＳ８３に進む。
Ｓ６８  Ｓ６６での呼び出し入力に対応する階ボタンの確認ランプが点灯する。
Ｓ６９  Ｓ６６の呼び出し入力が、中央メモリＭＣＣに記憶される。
Ｓ７０  中央メモリＭＣＣが、ケージ呼び出しＥＣＣで検出される。
Ｓ７１  ステップＳ６３で作動された階ボタンが、第５のメモリＭ５で検出される。
Ｓ７２  タイマーが再始動する。
Ｓ７３  階ボタン「０」から「９」の状態が読み取られる。
Ｓ７４  階ボタン「０」から「９」のうちの１つが作動したか？ＹＥＳの場合には、Ｓ７７に進み、ＹＥＳでない場合には、Ｓ７５に進む。
Ｓ７５  ドア閉塞ボタンＤＴ−Ｓが作動したか？ＹＥＳの場合には、Ｓ６６に進み、ＹＥＳでない場合には、Ｓ７６に進む。
Ｓ７６  タイマーの設定時間が経過したか？ＹＥＳの場合には、Ｓ６６に進み、ＹＥＳでない場合には、Ｓ７３に進む。
Ｓ７７  Ｓ７４で作動された階ボタンが、第６のメモリＭ６で検出される。
Ｓ７８  メモリＭ５、Ｍ６で検出された作動階ボタンの組み合わせが、呼び出し入力として用いられる。
Ｓ７９  ステップＳ７８での呼び出し入力が有効か？ＹＥＳの場合には、Ｓ８０に進み、ＹＥＳでない場合には、ステップＳ８３に進む。
Ｓ８０  Ｓ７８での呼び出し入力に対応する１つまたは複数の階ボタンの確認ランプが点灯する。
Ｓ８１  Ｓ７８の呼び出し入力が、中央メモリＭＣＣに記憶される。
Ｓ８２  中央メモリＭＣＣが、ケージ呼び出しＥＣＣで検出される。
Ｓ８３  変換ボタンＨの確認ランプが消灯する。
Ｓ８４  階ボタン「０」から「９」の確認ランプが消灯する。
Ｓ８５  ケージ呼び出しＥＣＣの確認ランプが点灯する。
Ｓ８６  パネル１が標準的なパネルとして使用される。
【図１】
0004339581.tif 000002
【図２】
0004339581.tif 000003
【図３】
0004339581.tif 000004
【図４】
0004339581.tif 000005
【図５】
0004339581.tif 000006
【図６】
0004339581.tif 000007
【図７】
0004339581.tif 000008
【図８】
0004339581.tif 000009